(57)【要約】【課題】  トリップロック端子や電力保護制御盤側に変更を加えることなく、仮設継電器と遮断器とを確実に接続する。【解決手段】  第１および第２のトリップロック端子間に接続されるロックプラグであって、長手方向の両端にそれぞれ前記第１および第２のトリップロック端子と接触する結合部を有する板状の導電部材と、前記導電部材に対して略垂直方向から少なくとも接触する導電性の軸部と、前記導電部材の前記結合部および前記軸部の一部が露出するように前記導電部材および前記軸部を覆う絶縁部材と、を有する。【選択図】  図２
2014014229.tif 000002
【特許請求の範囲】
【請求項１】
第１および第２のトリップロック端子間に接続されるロックプラグであって、
長手方向の両端にそれぞれ前記第１および第２のトリップロック端子と接触する結合部を有する板状の導電部材と、
前記導電部材に対して略垂直方向から少なくとも接触する導電性の軸部と、
前記導電部材の前記結合部および前記軸部の一部が露出するように前記導電部材および前記軸部を覆う絶縁部材と、
を有することを特徴とするロックプラグ。
【請求項２】
前記軸部の少なくとも先端部には、雄ねじが形成され、
前記軸部の基端部には、当該軸部を回転させるための摘み部が設けられ、
前記導電部材の前記結合部以外の中央部には、前記雄ねじと螺合する孔が形成されていることを特徴とする請求項１に記載のロックプラグ。
【請求項３】
継電器に接続される第１のトリップロック端子と、
遮断器に接続される第２のトリップロック端子と、
前記第１および第２のトリップロック端子間を接続するロックプラグと、
を備え、
前記ロックプラグは、
長手方向の両端にそれぞれ前記第１および第２のトリップロック端子と接触する結合部を有する板状の導電部材と、
前記導電部材に対して略垂直方向から少なくとも接触する導電性の軸部と、
前記導電部材の前記結合部および前記軸部の一部が露出するように前記導電部材および前記軸部を覆う絶縁部材と、
を有することを特徴とするトリップロック端子台。
【請求項４】
前記軸部の少なくとも先端部には、雄ねじが形成され、
前記軸部の基端部には、当該軸部を回転させるための摘み部が設けられ、
前記導電部材の前記結合部以外の中央部には、前記雄ねじと螺合する孔が形成されていることを特徴とする請求項３に記載のトリップロック端子台。
【発明の詳細な説明】
【技術分野】
【０００１】
本発明は、ロックプラグおよびトリップロック端子台に関する。
【背景技術】
【０００２】
発変電所などにおける電力保護制御盤では、例えば特許文献１の図４に示されているように、それぞれ保護継電器および遮断器（トリップコイル）に接続される一対の端子と、それらの端子間を接続するロックプラグ（特許文献１においては短絡プラグ）とからなるトリップロック端子台が前面パネルに取り付けられている。
【０００３】
ここで、このような電力保護制御盤に用いられる一般的なトリップロック端子台の構成の一例を図４ないし図６に示す。なお、図４は、トリップロック端子台全体の構成を示す側面図であり、図５および図６は、それぞれロックプラグの構成を示す側面図および平面図である。
【０００４】
トリップロック端子５ａおよび５ｂは、同様の構成となっており、それぞれ絶縁性の取付台５４ａおよび５４ｂによって電力保護制御盤の前面パネル９に取り付けられている。導電性の軸部５１ａおよび５１ｂは、前面パネル９を貫通しており、電力保護制御盤内（不図示）で、それぞれ保護継電器および遮断器からの配線が接続されている。また、軸部５１ａおよび５１ｂには、雄ねじが形成されており、絶縁性の締付ねじ５２ａおよび５２ｂは、それらの雄ねじと螺合して、それぞれ軸部５１ａおよび５１ｂ上を進退動する。さらに、軸部５１ａおよび５１ｂの露出部は、絶縁性の保護部５３ａ、５３ｂ、５５ａ、５５ｂによって保護されている。
【０００５】
ロックプラグ３のプラグ本体３１は、板状の導電部材であり、長手方向の両端を切り欠いた結合部３２ａおよび３２ｂを有し、それらの部分を除く中央部は、絶縁部材３３で覆われている。また、結合部３２ａは、プラグ本体３１の短手方向に切り欠かれ、結合部３２ｂは、長手方向に切り欠かれている。そのため、ロックプラグ３をトリップロック端子５ａおよび５ｂ間に取り付ける際には、まず結合部３２ｂの切り欠きをトリップロック端子５ｂ（締付ねじ５２ｂと保護部５３ｂとの間）に挿入し、次に結合部３２ａの切り欠きをトリップロック端子５ａ（締付ねじ５２ａと保護部５３ａとの間）に挿入する。そして、締付ねじ５２ａおよび５２ｂを締め付け、結合部３２ａおよび３２ｂがそれぞれ軸部５１ａおよび５１ｂと接触した状態でロックプラグ３を固定する。
【０００６】
このようにして、トリップロック端子５ａおよび５ｂ間にロックプラグ３を取り付け、保護継電器および遮断器（トリップコイル）間を電気的に接続し、導通させることができる。
【０００７】
ところで、このようなトリップロック端子台を備えた電力保護制御盤において、遮断器に保護継電器が接続された保護状態のまま保護継電器の取り替えを行うためには、まず、一方のトリップロック端子に仮設の保護継電器（以下、仮設継電器と称する）からの配線を接続する必要がある。しかしながら、仮設継電器からの配線を接続するためには、一方のトリップロック端子の締付ねじを一旦緩める必要があり、その際一時的に保護が失われてしまう。また、ロックプラグと仮設継電器からの配線とを一緒に締め付ける必要があるため、ロックプラグや配線が外れやすくなる。
【０００８】
そこで、例えば特許文献２では、このような保護継電器の取り替えの際に、仮設継電器（特許文献２においては仮リレー）からの配線を強固に固着することが可能なロックプラグが開示されている。
【先行技術文献】
【特許文献】
【０００９】
【特許文献１】特開２００９−３３８１６号公報
【特許文献２】特開２０１０−１１２８０１号公報
【発明の概要】
【発明が解決しようとする課題】
【００１０】
しかしながら、特許文献２のロックプラグは、トリップロック端子や電力保護制御盤側の変更も伴うこととなるため、導入コストが大きい。また、特許文献２のロックプラグでは、仮設継電器は、ロック軸を介して電力保護制御盤（特許文献２においては保護継電器盤）内部の接点と電気的に接続されるが、電力保護制御盤内で確実に接続されていることを確認することは困難である。
【課題を解決するための手段】
【００１１】
前述した課題を解決する主たる本発明は、第１および第２のトリップロック端子間に接続されるロックプラグであって、長手方向の両端にそれぞれ前記第１および第２のトリップロック端子と接触する結合部を有する板状の導電部材と、前記導電部材に対して略垂直方向から少なくとも接触する導電性の軸部と、前記導電部材の前記結合部および前記軸部の一部が露出するように前記導電部材および前記軸部を覆う絶縁部材と、を有することを特徴とするロックプラグである。
【００１２】
本発明の他の特徴については、添付図面及び本明細書の記載により明らかとなる。
【発明の効果】
【００１３】
本発明によれば、トリップロック端子や電力保護制御盤側に変更を加えることなく、仮設継電器と遮断器とを確実に接続することができる。
【図面の簡単な説明】
【００１４】
【図１】本発明の一実施形態におけるトリップロック端子台の構成を示す側面図である。
【図２】本発明の一実施形態におけるロックプラグの構成を示す側面図である。
【図３】本発明の一実施形態におけるロックプラグの構成を示す平面図である。
【図４】電力保護制御盤に用いられる一般的なトリップロック端子台の構成の一例を示す側面図である。
【図５】図４に示したトリップロック端子台に用いられるロックプラグの構成の一例を示す側面図である。
【図６】図４に示したトリップロック端子台に用いられるロックプラグの構成の一例を示す平面図である。
【発明を実施するための形態】
【００１５】
本明細書および添付図面の記載により、少なくとも以下の事項が明らかとなる。
【００１６】
以下、図１ないし図３を参照して、本発明の一実施形態におけるトリップロック端子台の構成について説明する。なお、図１は、トリップロック端子台全体の構成を示す側面図であり、図２および図３は、それぞれロックプラグの構成を示す側面図および平面図である。
【００１７】
図１に示されているトリップロック端子台は、保護継電器に接続される（第１の）トリップロック端子５ａと、遮断器（トリップコイル）に接続される（第２の）トリップロック端子５ｂと、トリップロック端子５ａおよび５ｂ間を接続するロックプラグ１とを備えている。また、トリップロック端子５ａ（５ｂ）は、導電性の軸部５１ａ（５１ｂ）と、絶縁性の締付ねじ５２ａ（５２ｂ）、保護部５３ａ（５３ｂ）、５５ａ（５５ｂ）、および取付台５４ａ（５４ｂ）とを有し、一般的なトリップロック端子と同様の構成となっている。
【００１８】
図２および図３に示されているロックプラグ１は、プラグ本体１１、絶縁部材１３、軸部１４、および摘み部１５からなる。プラグ本体１１は、ロックプラグ３のプラグ本体３１と同様に、板状の導電部材であり、長手方向の両端に、短手方向に切り欠かれた結合部１２ａおよび長手方向に切り欠かれた結合部１２ｂを有している。また、プラグ本体１１は、結合部１２ａおよび１２ｂが露出するように、それ以外の中央部が絶縁部材１３で覆われ、絶縁部材１３は、さらに、プラグ本体１１に対して略垂直方向に延びる筒状部１３ａを有している。そして、筒状部１３ａには、導電性の軸部１４が挿通され、軸部１４の基端部には、摘み部１５が設けられている。
【００１９】
このような構成において、筒状部１３ａに挿通された軸部１４は、その一部が露出した状態でプラグ本体１１に少なくとも接触する。また、軸部１４とプラグ本体１１との電気的接続をより確実にするため、本実施形態では、プラグ本体１１と軸部１４とを螺合させている。すなわち、軸部１４の少なくとも先端部には、雄ねじが形成され、プラグ本体１１の筒状部１３ａに対応する位置には、当該雄ねじと螺合する孔が形成されており、摘み部１５によって軸部１４を回転させて、プラグ本体１１と軸部１４とを螺合させることができる。
【００２０】
ロックプラグ１は、ロックプラグ３と同様にトリップロック端子５ａおよび５ｂ間に取り付けることができ、結合部１２ａおよび１２ｂがそれぞれ軸部５１ａおよび５１ｂと接触した状態で固定される。そして、図１に示すように、トリップロック端子５ａおよび５ｂ間にロックプラグ１を取り付けた状態で、仮設継電器（不図示）に接続されたリード線２を軸部１４の露出部分に接続することによって、仮設継電器と遮断器とは、軸部１４、プラグ本体１１、およびトリップロック端子５ｂを介して電気的に接続される。なお、リード線２と軸部１４との接続を安定させるため、本実施形態では、リード線２に接続された圧着端子などのリング端子２１に軸部１４を挿通させている。
【００２１】
前述したように、ロックプラグ１において、導電性の軸部１４を絶縁部材１３の筒状部１３ａに挿通して、板状のプラグ本体（導電部材）１１に対して略垂直方向から少なくとも接触させることによって、トリップロック端子５ａおよび５ｂ間にロックプラグ１を取り付けた状態で、仮設継電器に接続されたリード線２を軸部１４の露出部分に接続して、仮設継電器と遮断器とを確実に接続することができる。
【００２２】
また、図１に示したトリップロック端子台において、それぞれ保護継電器および遮断器（トリップコイル）に接続されるトリップロック端子５ａおよび５ｂ間にロックプラグ１を取り付けることによって、仮設継電器に接続されたリード線２をロックプラグ１の軸部１４に接続し、トリップロック端子や電力保護制御盤側に変更を加えることなく、仮設継電器と遮断器とを確実に接続することができる。さらに、ロックプラグ１の軸部１４における電圧を測定することによって、保護継電器からのトリップ信号を検出することができる。特に、ロック軸が電力保護制御盤内部の接点と接続される特許文献２のロックプラグの場合に比べて、ロックプラグ１では、軸部１４がプラグ本体１１と直接接触し、保護継電器から遮断器に伝達される実際の電路上でトリップ信号を検出することができるため、信頼性が高い。
【００２３】
また、ロックプラグ１の軸部１４の基端部に摘み部１５を設け、軸部１４の少なくとも先端部に雄ねじを形成し、プラグ本体１１の筒状部１３ａに対応する位置に当該雄ねじと螺合する孔を形成することによって、摘み部１５によって軸部１４を回転させて、プラグ本体１１と軸部１４とを螺合させ、軸部１４とプラグ本体１１との電気的接続をより確実にすることができる。
【００２４】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００２５】
１、３      ロックプラグ
２          リード線
５ａ、５ｂ  トリップロック端子
９          前面パネル（電力保護制御盤）
１１、３１  プラグ本体（導電部材）
１２ａ、１２ｂ、３２ａ、３２ｂ  結合部
１３、３３  絶縁部材
１３ａ      筒状部
１４        軸部
１５        摘み部
２１        リング端子
５１ａ、５１ｂ  軸部
５２ａ、５２ｂ  締付ねじ
５３ａ、５３ｂ、５５ａ、５５ｂ  保護部
５４ａ、５４ｂ  取付台
【図１】
2014014229.tif 000003
【図２】
2014014229.tif 000004
【図３】
2014014229.tif 000005
【図４】
2014014229.tif 000006
【図５】
2014014229.tif 000007
【図６】
2014014229.tif 000008